(57)【要約】      （修正有）【課題】不慣れな作業者でも容易に所望の吐出状態が得られるように流量調整を行うことができるコンパクトで簡素な構成の流量調整器を提案すること。【解決手段】流量調整器は、同一外径の円柱状の上部材２と下部材３を同軸状に接合したものである。上部材２と下部材３には、流量調整器の中心軸線に沿った方向に延びる上部流体通路４と下部流体通路５が形成されている。上部流体通路４の下流端開口１３と下部流体通路５の上流端開口１４の重なり面積を、上部材２と下部材３の相対回転によって調整し、絞り流量を調整する。上部材２と下部材３の外周面に、調整量確認部を設けて目盛りを付しておくことにより、簡単に規定の絞り流量に調整することができる。【選択図】図２
2011033133.tif 000002
【特許請求の範囲】
【請求項１】
第１接合面を有する第１部材と、
当該第１接合面に当接している第２接合面を有する第２部材とを有し、
前記第１部材は、内部を貫通している第１流体通路を備え、当該第１流体通路の下流端が前記第１接合面に開口しており、
前記第２部材は、内部を貫通している第２流体通路を備え、当該第２流体通路の上流端が前記第２接合面に開口しており、
前記第１部材および前記第２部材は、前記第１接合面および前記第２接合面に直交する回転中心線を中心として相対回転可能に接合されており、当該回転中心線を中心とする相対回転位置に応じて、前記第１接合面における前記第１流体通路の下流端の開口と、前記第２接合面における前記第２流体通路の上流端の開口との重なり面積が変化するように形成されており、
前記第１部材および前記第２部材に、前記相対回転位置、もしくは当該相対回転位置に対応する前記重なり面積を外部から読み取り可能な調整量確認部が設けられ、
前記第１部材における前記第１流体通路の上端が開口している部分に、水道の蛇口などの流体流出口に前記第１流体通路の上端を接続するための接続部が設けられていることを特徴とする流量調整器。
【請求項２】
請求項１に記載の流量調整器において、
前記第１部材および前記第２部材に、前記回転中心線を中心とする所定の相対回転位置にあるときに係合状態となる係合部が形成されており、
前記係合状態を実現する前記相対回転位置と、前記調整量確認部に設けた指標に対応付けられている前記相対回転位置とが対応していることを特徴とする流量調整器。
【請求項３】
請求項２に記載の流量調整器において、
前記係合部は、
前記第１接合面および前記第２接合面の一方に形成した係合孔と、
他方に形成した係合ピン設置孔と、
当該係合ピン設置孔内に配置した係合ピンと、
当該係合ピンを前記設置孔から突出する方向に付勢している付勢部材とを備えていることを特徴とする流量調整器。
【請求項４】
請求項１ないし３のいずれかに記載の流量調整器において、
前記第１部材および前記第２部材は２つの円柱状部材であって同軸状に接合されており、
前記回転中心線は前記円筒状部材の中心軸線であり、
前記第１接合面および前記第２接合面は、その一方が、一方の前記円柱状部材の円形端面に形成された円形凹部の底面であり、他方が、他方の円柱状部材の円形端面に形成された円形凸部の上端面であり、
前記円形凹部の内周面と前記円形凸部の外周面には、その一方に周方向に延びる溝が形成され、他方に前記溝内に嵌合した状態で周方向にスライド可能な突起が形成されていることを特徴とする流量調整器。
【請求項５】
請求項１ないし４のいずれかに記載の流量調整器において、
前記第１部材と前記第２部材とを接合した流量調整部と、
当該流量調整部に流入する流体、もしくは前記流量調整部から流出する流体の流量を表示するための流体節約喚起部とを有し、
前記流体節約喚起部は、
内部に流体通路が形成されているケースと、
当該流体通路における流体圧に応じて昇降する昇降部材とを備え、
前記流体通路が、前記第１流体通路の上流端もしくは前記第２流体通路の下流端に接続されるように、前記第１部材もしくは前記第２部材に前記ケースが接合されており、
前記ケースに、前記移動通路部分における前記昇降部材の位置を外部から目視で確認するための位置確認部が設けられていることを特徴とする流量調整器。
【発明の詳細な説明】
【技術分野】
【０００１】
本発明は、水道の蛇口などの流体流出口に取り付けて使用する流量調整器に関し、さらに詳しくは、流体通路の断面積を調整して流体の絞り込み量を調整する流量調整器に関する。
【背景技術】
【０００２】
水道の蛇口などに取り付ける節水器として、節水器内の通水孔の大きさを調整して流体の吐出量を調整するものが用いられている。このような節水器として、特許文献１に開示のものが知られている。特許文献１の節水器は、水流の生じる管内に挿入した本体部に円筒状の通水口を形成しておき、この通水口の内部に、通水用の開口部が形成された水流調整部と流量調整板とを重ねて設置したものである。この節水器は、水流調整部と流量調整板とを相対回転させて開口部の重なり部分の面積（絞り流路の面積）を調整することにより、水流の絞り込み量を調整して、節水器からの吐出流量を調整することができる。
【先行技術文献】
【特許文献】
【０００３】
【特許文献１】特許第４２３７０２５号公報
【発明の概要】
【発明が解決しようとする課題】
【０００４】
特許文献１の節水器は、水流の生じる管内に設置して用いられるため、設置状態では、どの程度水流を絞ってあるのかを確認することはできない。そのため、調整量（水流の絞り込み量）を確認したり流量設定を変更するためには、その都度管内から節水器を取り外さなければならず、手間がかかる。また、管内に設置したまま流量調整を行うことができないので、水の吐出状態を確認しながら微調整を行うことができない。
【０００５】
本発明の課題は、このような点に鑑みて、容易に流量調整を行うことができるコンパクトで簡素な構成の流量調整器を提案することにある。
【課題を解決するための手段】
【０００６】
上記課題を解決するために、本発明の流量調整器は、
第１接合面を有する第１部材と、
当該第１接合面に当接している第２接合面を有する第２部材とを有し、
前記第１部材は、内部を貫通している第１流体通路を備え、当該第１流体通路の下流端が前記第１接合面に開口しており、
前記第２部材は、内部を貫通している第２流体通路を備え、当該第２流体通路の上流端が前記第２接合面に開口しており、
前記第１部材および前記第２部材は、前記第１接合面および前記第２接合面に直交する回転中心線を中心として相対回転可能に接合されており、当該回転中心線を中心とする相対回転位置に応じて、前記第１接合面における前記第１流体通路の下流端の開口と、前記第２接合面における前記第２流体通路の上流端の開口との重なり面積が変化するように形成されており、
前記第１部材および前記第２部材に、前記相対回転位置、もしくは当該相対回転位置に対応する前記重なり面積を外部から読み取り可能な調整量確認部が設けられ、
前記第１部材における前記第１流体通路の上端が開口している部分に、水道の蛇口などの流体流出口に前記第１流体通路の上端を接続するための接続部が設けられていることを特徴としている。
【０００７】
本発明は、このように、２つの部材の接合面同士を当接させて接合しただけのコンパクトで簡素な構成であり、第１流体通路と第２流体通路を相対回転させて接合面での流路開口の重なり面積を調整する作業を容易に行うことができる。また、第１部材と第２部材には、絞り流路の面積（接合面における開口の重なり面積）、もしくは、この面積に対応する相対回転位置を外部から読み取り可能な指標が付されているので、不慣れな作業者でもこの指標を頼りにすれば、簡単に規定の絞り量に調整することができる。
【０００８】
本発明において、前記第１部材および前記第２部材に、前記回転中心線を中心とする所定の相対回転位置にあるときに係合状態となる係合部を形成し、前記係合状態を実現する前記相対回転位置と、前記調整量確認部に設けた指標に対応付けられている前記相対回転位置とを対応させた構成にすることができる。例えば、前記係合部を、前記第１接合面および前記第２接合面の一方に形成した係合孔と、他方に形成した係合ピン設置孔と、当該係合ピン設置孔内に配置した係合ピンと、当該係合ピンを前記設置孔から突出する方向に付勢している付勢部材によって構成することができる。このようにすれば、指標に対応する相対回転位置に到ったときに２部材が係合した操作感（クリック感）が得られるので、当該相対回転位置に到ったことを操作時の触感や係合音によって確認できる。また、２部材を係合状態から外すときには抵抗が生じるので、不慣れな人でも正確に係合位置に合わせることができる。よって、段階的な調整を容易かつ正確に行うことができる。また、係合位置からずれにくくなるので、不注意などによって調整位置が変化してしまうのを抑制できる。
【０００９】
このとき、前記第１部材および前記第２部材を２つの円柱状部材として同軸状に接合し、前記回転中心線を前記円筒状部材の中心軸線とし、前記第１接合面および前記第２接合面の一方を、一方の前記円柱状部材の円形端面に形成された円形凹部の底面とし、他方を、他方の円柱状部材の円形端面に形成された円形凸部の上端面とし、前記円形凹部の内周面と前記円形凸部の外周面に、その一方に周方向に延びる溝が形成され、他方に前記溝内に嵌合した状態で周方向にスライド可能な突起を形成した構成にすることができる。このようにすれば、第１部材と第２部材を、離脱せず、且つ、相対回転可能な状態に接合することができる。
【００１０】
また、本発明を、前記第１部材と前記第２部材とを接合した流量調整部と、当該流量調整部に流入する流体、もしくは前記流量調整部から流出する流体の流量を表示するための流体節約喚起部とを有する構成とし、前記流体節約喚起部を、内部に流体通路が形成されているケースと、当該流体通路における流体圧に応じて昇降する昇降部材とを備えた構成とし、前記流体通路が、前記第１流体通路の上流端もしくは前記第２流体通路の下流端に接続されるように、前記第１部材もしくは前記第２部材に前記ケースを接合した構成とし、前記ケースに、前記移動通路部分における前記昇降部材の位置を外部から目視で確認するための位置確認部を設けた構成にすることもできる。このように、流量調整器に流体節約喚起部を組み込んだ構成にすれば、流体の出し過ぎ状態を視覚に訴えることができ、流体節約意識を高めることができる。
【発明の効果】
【００１１】
本発明の流量調整器では、２つの部材の接合面同士を当接させて接合しただけのコンパクトで簡素な構成とすることができ、第１流体通路と第２流体通路を相対回転させて接合面での流路開口の重なり面積を調整する作業を容易に行うことができる。また、第１部材と第２部材には、絞り流路の面積（接合面における開口の重なり面積）、もしくは、この面積に対応する相対回転位置を外部から読み取り可能な指標が付されているので、この指標を頼りにすれば、簡単に規定の絞り量に調整することができる。
【図面の簡単な説明】
【００１２】
【図１】本発明を適用した流量調整器の外観斜視図である。
【図２】流量調整器の縦断面図である。
【図３】円形凹部の底面および円形凸部の上端面における流体通路の開口形状の説明図である。
【図４】円形凹部の底面および円形凸部の上端面に形成した係合部の説明図である。
【図５】改変例の流量調整器の縦断面図である。
【発明を実施するための形態】
【００１３】
以下に、図面を参照して、本発明を適用した水道蛇口用の流量調整器の実施の形態を説明する。図１は流量調整器の外観斜視図であり、図２は流量調整器の縦断面図である。
【００１４】
流量調整器１は、同一外径の円柱状の上部材２（第１部材）と下部材３（第２部材）を同軸状に接合したものである。上部材２と下部材３には、流量調整器１の中心軸線Ｌ（回転中心線）に沿った方向に延びる上部流体通路４（第１流体通路）と下部流体通路５（第２流体通路）が形成されている。
【００１５】
上部材２の上端面には、上部流体通路４の上端が開口している。上部流体通路４の上端部分は、流量調整器１を取り付けるべき水道の蛇口などの流体流出口の寸法に合わせて一回り径が大きくなっている。この大径部分の内周面には雌ねじ部が形成されているので、取り付け対象の流体流出口の先端部分に形成した雄ねじ部をねじ込み固定して、流体流出口に流量調整器１を取り付けることができる。
【００１６】
上部材２の下端面には下向きに開口する円形凹部６が形成されており、この円形凹部６の底面７（第１接合面）に、上部流体通路４の下端が開口している。上部流体通路４の下端側の部分は上端側とは異なる断面形状になっており、上部材２の中心軸線Ｌから外れた位置を通って延びている。円形凹部６の内側側面における底面７側の部分には周方向に延びる矩形断面の溝８が形成されており、この溝８は円形凹部６の内側側面全体に形成されている。
【００１７】
下部材３の下端面には、下向きに突出する円筒状の接続部９が形成されている。この接続部の外周面には雄ねじ部が形成されているので、後述する流体圧表示部を接続できる。また、接続部９に整流部材を接続してもよく、接続部９を省略してもよい。
【００１８】
下部材３の上端面には円形凸部１０が形成されており、円形凸部１０の上端面１１（第２接合面）に、下部流体通路５の上端が開口している。下部流体通路５の上端側の部分は、上部材２における上部流体通路４の下端側の部分と同様に、下部材３の中心軸線Ｌから外れた位置を通って延びている。
【００１９】
上部材２と下部材３は、円形凹部６内に円形凸部１０を嵌合して、底面７と上端面１１とを密着させた状態に接合されている。上部材２と下部材３の中心軸線Ｌは円形凹部６と円形凸部１０の中心を通っており、底面７および上端面１１は、この中心軸線Ｌと直交している。よって、上部材２と下部材３を、中心軸線Ｌを回転中心として相対回転させることができる。このとき、円形凸部１０の外周側面の先端側の部分に形成した周方向に延びる突起１２が、円形凹部６の内側側面の溝８に嵌合しており、突起１２が溝８内をスライドする。これにより、上部材２と下部材３は、接合状態を維持しながら相対回転可能になっている。
【００２０】
図３は、円形凹部６の底面７および円形凸部１０の上端面１１における上部流体通路４および下部流体通路５の開口形状の説明図である。底面７に形成されている上部流体通路４の下流端開口１３は、図３（ａ）に示すように、底面７の中心から外れた位置に形成されている。本実施形態では、下流端開口１３は円形である。一方、上端面１１に形成されている下部流体通路５の上流端開口１４は、図３（ｂ）〜（ｄ）に示す形状のいずれかとなっている。図３（ｂ）は、大きさの異なる複数の円形開口１４ａ〜１４ｅを、所定の角度ピッチで周方向に並べた形状である。また、図３（ｃ）は、周方向に延びる円弧状開口１４ｆにおける円弧の一端側の幅を小さくし、他端側の幅を大きくした形状である。そして、図３（ｄ）は、扇形状開口１４ｇである。
【００２１】
下流端開口１３と上流端開口１４は、上部材２と下部材３が相対回転したときに、その相対回転位置に応じて、重なり部分の面積が異なるように形成されている。例えば、上流端開口１４が図３（ｂ）に示す形状であったときには、図３（ｂ）における円形開口１４ａ〜１４ｅの周方向の配置間隔ずつ相対回転位置を調整することにより、円形開口１４ａ〜１４ｅのいずれか１つと下流端開口１３とが完全に重なるように相対回転位置を調整して、重なり面積を段階的に増減することができる。また、上流端開口１４が図３（ｃ）あるいは図３（ｄ）に示す形状であったときには、相対回転位置を円弧状開口１４ｆもしくは扇形状開口１４ｇが開口している範囲で連続的に調整することにより、重なり面積を連続的に増減することができる。
【００２２】
なお、下流端開口１３と上流端開口１４の形状は、図３に示すような形状に限定されない。例えば、図３（ａ）では下流端開口１３を１つに設定しているが、複数設けてもよい。この場合には、図３（ｂ）〜（ｄ）に示す上流端開口１４を下流端開口１３の数および形成位置にあわせて複数形成しておくとよい。また、下流端開口１３と上流端開口１４の形状を逆にしてもよい。
【００２３】
図１に示すように、上部材２と下部材３の外周面には、両部材の相対回転位置を示す調整量確認部１５が形成されている。調整量確認部１５は、下部材３の外周面の上端縁に設けられた指針１５ａと、上部材２の外周面の下端縁に設けられた目盛り１５ｂ（指標）を備えている。このようにすれば、指針１５ａが目盛り１５ｂのどの位置を指すかによって、上部材２と下部材３の相対回転位置を把握できる。目盛り１５ｂは周方向の所定の範囲にわたって一定間隔で設けられている。目盛り１５ｂの上側には、重なり面積を増大させる相対回転方向、すなわち、流量を増大させる相対回転方向に向かうほど太くなる図形１５ｃが表示されている。また、目盛り１５ｂは、重なり面積を増大させる相対回転方向に向かうほど数値が大きくなるように付されている。よって、および流量を増大もしくは減少させるときの相対回転方向を直感的に認識できる。
【００２４】
このように、本実施形態の流量調整器１は、下流端開口１３と上流端開口１４の重なり面積を調整することにより、上部流体通路４と下部流体通路５の接続部分を通過する流体の絞り量を調整できる。このとき、目盛り１５ｂ上の指針１５ａの位置から相対回転量を読み取って絞り量を確認しながら調整を行うことができるので、不慣れな作業者でも簡単に規定の絞り量に調整することができる。
【００２５】
図４は上部材と下部材の接合面に形成した係合部の説明図であり、図４（ａ）は一方の接合面に形成した係合孔の平面図、図４（ｂ）は他方の接合面に設けた係合ピンの平面図、図４（ｃ）は係合孔と係合ピンが係合した状態を示す部分断面図、図４（ｄ）は係合孔と係合ピンが係合していない状態を示す部分断面図である。なお、これらの図では、接合面である底面７および上端面１１に形成した下流端開口１３と上流端開口１４を省略している。
【００２６】
底面７と上端面１１のいずれか一方の面には、複数の係合孔１６が一定角度ピッチで周方向に並んで形成されている。そして、もう一方の面には、この係合孔１６と嵌合可能な係合ピン１７が設けられている。なお、係合ピン１７は一箇所だけ設けておいてもよいし、複数設けてもよい。複数設ける場合には、係合孔１６と同一の角度ピッチの位置に形成する。係合ピン１７は、係合ピン１７を設けた接合面（底面７もしくは上端面１１）に形成した係合ピン設置孔１７ａの内部に配置されており、バネ等の付勢部材１７ｂによって接合面から突出する方向に付勢されている。このような係合孔１６および係合ピン１７を形成すると、係合孔１６と係合ピン１７が丁度重なる相対回転位置に到ったときに、係合ピン１７が設置孔１７ａから係合孔１６内に突出して係合する。よって、特定の相対回転位置（係合位置）に到ったことを触感や係合音で確認できるようになり、相対回転位置の調整を正確かつ容易に行うことができる。
【００２７】
ここで、複数の係合孔１６を調整量確認部１５の目盛り１５ｂに対応付けた位置に形成しておけば、目盛り１５ｂで示した相対回転位置への位置合わせが容易となる。例えば、図３（ｂ）に示す開口形状を用いた場合には、円形開口１４ａ〜１４ｅの各開口が下流端開口１３に重なっている各相対回転位置に対応させて、目盛り１５ｂおよび係合孔１６を形成しておく。このようにすれば、外部から見えない円形開口１４ａ〜１４ｅと下流端開口１３との位置合わせを正確かつ容易に行うことができる。
【００２８】
なお、係合孔１６と係合ピン１７を、円形凹部６の底面７および円形凸部１０の上端面１１ではなく、円形凹部６の内周面および円形凸部１０の外周面に形成してもよい。例えば、径方向外側を向いている突起１２の外周面に係合ピン１７を形成し、径方向内側を向いている溝８の底面に係合孔１６を形成しておいてもよい。
【００２９】
（改変例）
上記実施形態の流量調整器１は、絞り流路面積の調整機能のみを有するものであったが、改変例の流量調整器１Ａは、上部材２の上端に、流量が大きくなりすぎたときにそのことを目視で把握できるようにするための流体節約喚起部２０（流体節約喚起部）を接続し、この流体節約喚起部２０を介して流量調整器１と同じ構成の流量調整部２１を流体流出口に接続したものである。流量調整器１Ａは、流体節約喚起部２０を設けたことにより、水などの出し過ぎ状態を視覚に訴えることができ、節水意識を高めることができる。
【００３０】
図５は、流量調整器１Ａの断面図である。流量調整器１Ａは、流体節約喚起部２０と流量調整部２１とを上下に接続した構成である。以下、流体節約喚起部２０の構成の概略について説明する。流体節約喚起部２０は、下向きに延びる蛇口の先端などの流体流出口に取り付けるケース２２と、このケース２２の内部に配置した昇降部材２３とを備えている。ケース２２は、透明樹脂製の円筒形状の側ケース部２４の上下端を上ケース部２５および下ケース部２６によって封鎖しており、上ケース部２５および下ケース部２６の中心に、上ケース部２５および下ケース部２６を上下方向に貫通する流体通路が形成されている。上ケース部２５側に形成された流体通路の上端が流体流入口２７となっており、下ケース部２６側に形成された流体通路の下端が流体吐出口２８となっている。流体流入口２７は、取り付け対象の水道の蛇口などの流体流出口の先端部分に接続される。また、流体吐出口２８が開口している下ケース部２６の円筒部分が流体節約喚起部２０における上部流体通路４の上端に接続されるように、流体節約喚起部２０と流量調整部２１とが接合されている。
【００３１】
ケース２２は、側ケース部２４の内側に同軸状に取り付けられた内ケース部２９を備えている。内ケース部２９は、円錐台部と、その上端面の中央から延びている円筒部とを備えている。円錐台部の概略形状は円錐の上部を底面と平行な面で切断した形状であり、円錐台部の外周面と側ケース部２４の内周面との間には隙間が形成されている。円錐台部の上端面における円筒部を囲んでいる部分は、上ケース部２５における側ケース部２４の内側に同軸状に延びている下向き凸部の先端面と対峙しており、この間には、側ケース部２４の内周面から円筒部の外周面まで円盤状に拡がる隙間が形成されている。このように、ケース２２の内部には、側ケース部２４の内周面に沿って、上ケース部２５における下向き凸部の外周面および内ケース部２９の外周面との間の隙間が縦につながっており、これらの隙間が上下に延びる移動通路３０となっている。この移動通路３０に昇降部材２３が配置されている。
【００３２】
内ケース部２９における円錐台部の上端面には円環状の溝が形成されており、この溝の底面から下向きに延びる縦向き通路３２が形成されている。縦向き通路３２の下端は、円錐台部の下端に形成された下向き凹部と下ケース部２６の上面部分との間に形成された円盤状の下部チャンバー内に開口している。円錐台部には、複数の縦向き通路３２が、周方向に等角度間隔で形成されている。また、内ケース部２９における円筒部の内部に形成された空洞部分は、上ケース部２５を貫通する流体通路に接続されており、流体流入口２７から円錐台部の下端付近まで直線状に延びる軸線方向通路３４となっている。軸線方向通路３３の下端部分は上記の下部チャンバーと区画されており、径方向外側に延びる横向き通路３４を介して、円錐台部の外周側の隙間（移動通路３０の下端部分）に連通している。横向き通路３４は、縦向き通路３２と交差しないように、円錐台部における縦向き通路３２が貫通していない部分を通って形成されている。
【００３３】
流体節約喚起部２０を取り付けた蛇口などから供給される流体は、流体流入口２７を通って軸線方向通路３３を下向きに流れ、横向き通路３４を通って移動通路３０の下端に流入した後、移動通路３０を下から上に向かって流れる。そして、円錐台部の上端部分から縦向き通路３２に流入して下向きに流れ、円錐台部の下端面に形成された下向き凹部内で合流した後、流体吐出口２８から外部に吐出される。
【００３４】
移動通路３０に配置されている昇降部材２３は、円筒状のガイド部の内周面における所定高さの位置に、内側に向かって張り出す円環状の受圧板３１を設けたものである。流量が小さく流れの勢いが弱いときは、昇降部材２３はその重さによって移動通路３０の下端の位置まで降下する。そして、横向き通路３４から流体が移動通路３０に流れ込むと、上向きに流れる流体からの流体圧が受圧板３１に上向きに作用する。よって、この流体圧が昇降部材２３に加わる重力よりも大きくなれば、昇降部材２３が上昇する。そして、流体圧と重力がつりあう高さまで上昇した地点で昇降部材２３が停止する。よって、流量に応じた位置に昇降部材２３を移動させることができる。
【００３５】
昇降部材２３の位置は、透明な側ケース部２４を通して外部から確認できる。すなわち、この透明な側ケース部２４の部分が、昇降部材２３の位置を確認するための位置確認部３５として機能する。昇降部材２３は、赤色などの目立つ色に着色しておくことが望ましい。また、この部分の側ケース部２４に、昇降部材２３の昇降位置と流量とを対応付ける目盛り（指標）を付しておけば、目盛りによって、流量が多すぎるか否かを知ることができる。あるいは、昇降部材２３に目盛りを付してもよい。このようにすると、流体の出し過ぎ状態を視覚に訴えることができ、流体節約意識を高めることができる。
【００３６】
上記の構成では、流体節約喚起部２０を介して流量調整部２１を流体流出口に接続していたが、流量調整部２１を蛇口などに接続して、流体節約喚起部２０を流量調整部２１の下端に接続してもよい。
【００３７】
なお、流体節約喚起部２０の昇降部材２３の位置によって、流体節約喚起部２０を取り付けた蛇口における流体圧を把握できる。よって、このことを利用して、流体圧が異なる多数の蛇口に流量調整器１Ａを設置するときの流量調整作業を容易にすることもできる。例えば、流体節約喚起部２０における位置確認部３５の目盛りを、流体圧に対応して付しておき、流量調整部２１における目盛り１５ｂを、各流体圧のときに最適な絞り量となる位置に付しておく。このようにすれば、流体節約喚起部２０で読み取った流体圧に応じて、流量調整部２１の対応する目盛り線に指針１５ａを合わせるだけで簡単に流量調整を行うことができる。
【符号の説明】
【００３８】
１、１Ａ  流量調整器
２    上部材（第１部材）
３    下部材（第２部材）
４    上部流体通路（第１流体通路）
５    下部流体通路（第２流体通路）
６    円形凹部
７    底面（第１接合面）
８    溝
９    接続部
１０  円形凸部
１１  上端面（第２接合面）
１２  突起
１３  下流端開口
１４  上流端開口
１４ａ〜１４ｅ  円形開口
１４ｆ  円弧状開口
１４ｇ  扇形状開口
１５    調整量確認部
１５ａ  指針
１５ｂ  目盛り（指標）
１５ｃ  図形
１６    係合孔（係合部）
１７    係合ピン（係合部）
１７ａ  係合ピン設置孔（係合部）
１７ｂ  付勢部材（係合部）
２０  流体節約喚起部
２１  流量調整部
２２  ケース
２３  昇降部材
２４  側ケース部
２５  上ケース部
２６  下ケース部
２７  流体流入口
２８  流体吐出口
２９  内ケース
３０  移動通路
３１  受圧板
３２  縦向き通路
３３  軸線方向通路
３４  横向き通路
３５  位置確認部
Ｌ    中心軸線（回転中心線）
【図１】
2011033133.tif 000003
【図２】
2011033133.tif 000004
【図３】
2011033133.tif 000005
【図４】
2011033133.tif 000006
【図５】
2011033133.tif 000007